(57)【特許請求の範囲】
【請求項１】
印刷制御を実行する印刷制御装置と、用紙に画像を形成する画像形成装置とを備え、前記画像形成装置がＬＡＮケーブルによって前記印刷制御装置に接続される印刷システムであって、
前記画像形成装置は、
前記ＬＡＮケーブルに接続された第１のネットワークインターフェースと、
アクセスポイントを提供し、一のＩＰアドレスを前記アクセスポイントにアクセスする外部端末に割り当てる第２のネットワークインターフェースと、を有し、
前記印刷制御装置は、
前記ＬＡＮケーブルに接続された第３のネットワークインターフェースと、
特定のネットワークへの接続に使用される特定のＩＰアドレスが割り当てられる第４のネットワークインターフェースと、を有し
前記画像形成装置は、前記印刷制御装置から前記特定のＩＰアドレスに関連するネットワーク情報を取得し、少なくとも前記ネットワーク情報に基づいて前記アクセスポイントにアクセスする前記外部端末へ割り当てられる前記一のＩＰアドレスを決定することを特徴とする印刷システム。
【請求項２】
用紙に画像を形成し、ＬＡＮケーブルによって印刷制御装置に接続される画像形成装置であって、
前記印刷制御装置は、
前記ＬＡＮケーブルに接続された第３のネットワークインターフェースと、
特定のネットワークへの接続に使用される特定のＩＰアドレスが割り当てられる第４のネットワークインターフェースと、を有し、
前記画像形成装置は、
前記ＬＡＮケーブルに接続された第１のネットワークインターフェースと、
アクセスポイントを提供し、一のＩＰアドレスを前記アクセスポイントにアクセスする外部端末に割り当てる第２のネットワークインターフェースと、を有し、
前記印刷制御装置から前記第４のネットワークインターフェースを用いて前記特定のＩＰアドレスに関連するネットワーク情報を取得し、少なくとも前記ネットワーク情報に基づいて、前記アクセスポイントにアクセスする前記外部端末へ割り当てられる前記一のＩＰアドレスを決定することを特徴とする画像形成装置。
【請求項３】
前記割り当てられると決定されたＩＰアドレスは、前記特定のＩＰアドレスのネットワークアドレス部分とは異なるネットワークアドレス部分を有するＩＰアドレスであることを特徴とする請求項２記載の画像形成装置。
【請求項４】
前記画像形成装置は少なくとも１つの制御部を有し、
前記印刷制御装置において前記特定のＩＰアドレスが変更された場合、前記少なくとも１つの制御部は、前記変更された特定のＩＰアドレスを取得し、少なくとも前記変更された特定のＩＰアドレスに基づいて、前記アクセスポイントにアクセスする前記外部端末に割り当てられるＩＰアドレスを決定することを特徴とする請求項２記載の画像形成装置。
【請求項５】
前記印刷制御装置において前記特定のＩＰアドレスが変更された場合、前記少なくとも１つの制御部は、前記変更された特定のＩＰアドレスを取得したタイミングで前記割り当てられるＩＰアドレスを変更する処理を実行することを特徴とする請求項４記載の画像形成装置。
【請求項６】
前記印刷制御装置において前記特定のＩＰアドレスが変更された場合、前記少なくとも１つの制御部は、前記変更された特定のＩＰアドレスを取得した後の前記画像形成装置のリスタートのタイミングで前記割り当てられるＩＰアドレスを変更する処理を実行することを特徴とする請求項４記載の画像形成装置。
【請求項７】
前記印刷制御装置において前記特定のＩＰアドレスが変更された場合、前記少なくとも１つの制御部は、前記変更された特定のＩＰアドレスを取得した後の前記外部端末との通信が終了したタイミングで前記割り当てられるＩＰアドレスを変更する処理を実行することを特徴とする請求項４記載の画像形成装置。
【請求項８】
前記画像形成装置は表示部を有し、
前記少なくとも１つの制御部は、前記割り当てられるＩＰアドレスが変更されるタイミングの設定が実行される設定画面を前記表示部に表示させることを特徴とする請求項４記載の画像形成装置。
【請求項９】
前記アクセスポイントはWi-Fi Directのグループオーナーであることを特徴とする請求項２記載の画像形成装置。
【請求項１０】
前記画像形成装置は印刷部と制御部をさらに有し、
前記制御部は、前記印刷制御装置又は前記外部端末から取得されたデータに基づいて画像データを前記印刷部に出力することを特徴とする請求項２記載の画像形成装置。
【請求項１１】
ＬＡＮケーブルに接続された第１のネットワークインターフェースと、アクセスポイントを提供し、一のＩＰアドレスを前記アクセスポイントにアクセスする外部端末に割り当てる第２のネットワークインターフェースとを有し、用紙に画像を形成し、前記ＬＡＮケーブルにより、前記ＬＡＮケーブルに接続された第３のネットワークインターフェースと、特定のネットワークへの接続に使用される特定のＩＰアドレスが割り当てられる第４のネットワークインターフェースと、を有する印刷制御装置に接続される画像形成装置の制御方法であって、
前記印刷制御装置から前記第４のネットワークインターフェースを用いて前記特定のＩＰアドレスに関連するネットワーク情報を取得し、
少なくとも前記ネットワーク情報に基づいて前記アクセスポイントにアクセスする前記外部端末へ割り当てられる前記一のＩＰアドレスを決定することを特徴とする画像形成装置の制御方法。
【請求項１２】
ＬＡＮケーブルに接続された第１のネットワークインターフェースと、アクセスポイントを提供し、一のＩＰアドレスを前記アクセスポイントにアクセスする外部端末に割り当てる第２のネットワークインターフェースとを有し、用紙に画像を形成し、前記ＬＡＮケーブルにより、前記ＬＡＮケーブルに接続された第３のネットワークインターフェースと、特定のネットワークへの接続に使用される特定のＩＰアドレスが割り当てられる第４のネットワークインターフェースと、を有する印刷制御装置に接続される画像形成装置の制御方法をコンピュータに実行させるプログラムであって、
前記制御方法は、
前記印刷制御装置から前記第４のネットワークインターフェースを用いて前記特定のＩＰアドレスに関連するネットワーク情報を取得し、
少なくとも前記ネットワーク情報に基づいて前記アクセスポイントにアクセスする前記外部端末へ割り当てられる前記一のＩＰアドレスを決定することを特徴とするプログラム。
【請求項１３】
印刷制御を実行する印刷制御装置と、用紙に画像を形成し、ＬＡＮケーブルによって前記印刷制御装置に接続される画像形成装置とを有する印刷システムであって、
前記画像形成装置は、
前記ＬＡＮケーブルに接続された第１のネットワークインターフェースと、
アクセスポイントを提供し、ＩＰアドレスを前記アクセスポイントにアクセスする外部端末に割り当てる第２のネットワークインターフェースと、
ユーザからの入力を受け付ける受付部と、
情報を表示する表示部と、を有し、
前記印刷制御装置は、
前記ＬＡＮケーブルに接続された第３のネットワークインターフェースと、
特定のネットワークへの接続に使用される第１のＩＰアドレスが割り当てられる第４のネットワークインターフェースと、を有し、
前記画像形成装置は、前記印刷制御装置から前記第１のＩＰアドレスに関連するネットワーク情報を取得し、前記受付部を介して前記第２のネットワークインターフェースに使用されるＩＰアドレスの候補としての第２のＩＰアドレスの入力操作を受け付け、少なくとも前記ネットワーク情報及び前記第２のＩＰアドレスに基づいて前記表示部に所定の通知を表示させるか否かを決定し、前記所定の通知を表示すべきとの決定に従って前記表示部に前記所定の通知を表示させることを特徴とする印刷システム。
【請求項１４】
用紙に画像を形成し、ＬＡＮケーブルにより、前記ＬＡＮケーブルに接続された第３のネットワークインターフェースと、特定のネットワークへの接続に使用される第１のＩＰアドレスが割り当てられる第４のネットワークインターフェースとを有する印刷制御装置に接続される画像形成装置であって、
前記第３のネットワークインターフェースと通信するために前記ＬＡＮケーブルに接続された第１のネットワークインターフェースと、
アクセスポイントを提供し、ＩＰアドレスを前記アクセスポイントにアクセスする外部端末に割り当てる第２のネットワークインターフェースと、
ユーザからの入力を受け付ける受付部と、
情報を表示する表示部と、を有し、
前記印刷制御装置から前記第１のＩＰアドレスに関連するネットワーク情報を取得し、
前記受付部を介して前記第２のネットワークインターフェースに使用されるＩＰアドレスの候補としての第２のＩＰアドレスの入力操作を受け付け、
少なくとも前記ネットワーク情報及び前記第２のＩＰアドレスに基づいて前記表示部に所定の通知を表示させるか否かを決定し、前記所定の通知を表示すべきとの決定に従って前記表示部に前記所定の通知を表示させることを特徴とする画像形成装置。
【請求項１５】
前記第２のＩＰアドレスのネットワークアドレス部分と、前記ネットワーク情報のネットワークアドレス部分との間の競合の発生に応じて前記表示部に前記所定の通知を表示させることを特徴とする請求項１４記載の画像形成装置。
【請求項１６】
前記所定の通知は、前記第２のネットワークインターフェースによって使用されるＩＰアドレスの候補の再入力を促す画面であることを特徴とする請求項１４記載の画像形成装置。
【請求項１７】
前記第２のＩＰアドレスの入力操作に応じて前記第１のＩＰアドレスについてのネットワーク情報を前記印刷制御装置から取得することを特徴とする請求項１４記載の画像形成装置。
【請求項１８】
前記アクセスポイントはWi-Fi Directのグループオーナーであることを特徴とする請求項１４記載の画像形成装置。
【請求項１９】
印刷部をさらに有し、
前記印刷制御装置又は前記外部端末から取得されたデータに基づいて画像データが前記印刷部に出力されることを特徴とする請求項１４記載の画像形成装置。
【発明の詳細な説明】
【技術分野】
【０００１】
本発明は、画像形成装置、該装置の制御方法、及びプログラムに関する。
【背景技術】
【０００２】
従来より、複数の外部装置、例えば、モバイル端末、クライアントＰＣ、及びＤＨＣＰサーバと通信する画像形成装置が知られている（例えば、特許文献１参照）。この画像形成装置はモバイル端末と無線ＬＡＮで接続されているとともに、クライアントＰＣ及びＤＨＣＰサーバと、例えば、ＬＡＮケーブルを介して互いに有線ＬＡＮで接続されている。画像形成装置がモバイル端末との無線ＬＡＮ通信を実行するとき、画像形成装置自身はアクセスポイントとなり、モバイル端末との無線ＬＡＮ通信に使用するＩＰアドレスを自動的に発行する。これにより、画像形成装置はモバイル端末とWi-Fi Direct（登録商標）やBluetooth（登録商標）等による無線ＬＡＮ通信を実行する。また、画像形成装置はＤＨＣＰサーバが発行したＩＰアドレスを使用してクライアントＰＣとの有線ＬＡＮ通信を実行する。
【０００３】
ところで、画像形成装置及びモバイル端末の通信や画像形成装置及びクライアントＰＣの通信に使用される各ＩＰアドレスはネットワークアドレスとホストアドレスとから構成される。
【先行技術文献】
【特許文献】
【０００４】
【特許文献１】特開２０１３−２０５９８２号公報
【発明の概要】
【発明が解決しようとする課題】
【０００５】
しかしながら、画像形成装置及びモバイル端末の無線ＬＡＮ通信に使用されるＩＰアドレスのネットワークアドレスと画像形成装置及びクライアントＰＣの有線ＬＡＮ通信に使用されるＩＰアドレスのネットワークアドレスとが競合する場合がある。その結果、クライアントＰＣとの有線ＬＡＮ通信及びモバイル端末との無線ＬＡＮ通信のいずれも実行可能となる場合がある。このような場合において、例えば、画像形成装置にクライアントＰＣとの有線ＬＡＮ通信よりもモバイル端末との無線ＬＡＮ通信を優先して実行する通信設定が予め設定されているとき、モバイル端末との無線ＬＡＮ通信が実行される。したがって、ユーザが画像形成装置からクライアントＰＣへデータの送信を所望しても、当該データはモバイル端末に送信されるため、ユーザが所望する送信先であるクライアントＰＣにデータを送信できないことがある。すなわち、画像形成装置が複数の外部装置とＬＡＮ通信を行う場合、各ＬＡＮ通信に使用される複数のＩＰアドレスが競合して複数の外部装置と適切なＬＡＮ通信を実行することができないという問題があった。
【０００６】
本発明の目的は、複数の外部装置と適切な通信を実行することができる画像形成装置、該装置の制御方法、及びプログラムを提供することにある。
【課題を解決するための手段】
【０００７】
上記目的を達成するために、本発明の印刷システムは、印刷制御を実行する印刷制御装置と、用紙に画像を形成する画像形成装置とを備え、前記画像形成装置がＬＡＮケーブルによって前記印刷制御装置に接続される印刷システムであって、前記画像形成装置は、前記ＬＡＮケーブルに接続された第１のネットワークインターフェースと、アクセスポイントを提供し、一のＩＰアドレスを前記アクセスポイントにアクセスする外部端末に割り当てる第２のネットワークインターフェースと、を有し、前記印刷制御装置は、前記ＬＡＮケーブルに接続された第３のネットワークインターフェースと、特定のネットワークへの接続に使用される特定のＩＰアドレスが割り当てられる第４のネットワークインターフェースと、を有し前記画像形成装置は、前記印刷制御装置から前記特定のＩＰアドレスに関連するネットワーク情報を取得し、少なくとも前記ネットワーク情報に基づいて前記アクセスポイントにアクセスする前記外部端末へ割り当てられる前記一のＩＰアドレスを決定することを特徴とする。
【発明の効果】
【０００８】
本発明によれば、複数の外部装置と適切な通信を実行することができる。
【図面の簡単な説明】
【０００９】
【図１】本発明の実施の形態に係る画像形成装置としてのＭＦＰを含む画像形成システムの構成を概略的に示す概念図であり、図１（Ａ）は印刷制御装置としてのＥＦＩを含まない画像形成システムを示し、図１（Ｂ）はＥＦＩを含む画像形成システムを示す。
【図２】図１の画像形成システムの一部の構成要素の内部構成を概略的に示すブロック図であり、図２（Ａ）は図１（Ａ）の画像形成システムにおけるＭＦＰの内部構成を概略的に示すブロック図であり、図２（Ｂ）は図１（Ｂ）の画像形成システムにおけるＭＦＰ及びＥＦＩの内部構成を概略的に示すブロック図である。
【図３】図２におけるＭＦＰのＣＰＵによって実行される起動処理の手順を示すフローチャートである。
【図４】図３のステップＳ３０８で実行される通知処理の手順を示すフローチャートである。
【図５】図３の起動処理の終了後に画像形成システムにおけるＥＦＩに設定されるＥＦＩ／ＰＣ用ＩＰアドレスが変更され、変更後のＥＦＩ／ＰＣ用ＩＰアドレスをＭＦＰに通知する変更後アドレス通知処理の手順を示すフローチャートである。
【図６】図５のステップＳ５０３において通知された変更後のＥＦＩ／ＰＣ用ＩＰアドレスをＭＦＰが受信する受信処理の手順を示すフローチャートである。
【図７】図１におけるＭＦＰにＩＰアドレスを変更するタイミングを設定する際に使用される設定画面を説明するために用いられる図である。
【図８】図３の起動処理が終了した後にモバイル端末側ＩＰアドレスが変更されるときに実行される通信確立処理の手順を示すフローチャートである。
【図９】図１における操作表示部に表示されるアクセスポイント設定画面及び警告表示を説明するために用いられる図である。
【発明を実施するための形態】
【００１０】
以下、本発明の実施の形態について図面を参照しながら詳述する。
【００１１】
図１は、本発明の実施の形態に係る画像形成装置としてのＭＦＰ１０１を含む画像形成システムの構成を概略的に示す概念図である。図１（Ａ）は印刷制御装置としてのＥＦＩ（登録商標）１０２を含まない画像形成システム１００を示し、図１（Ｂ）はＥＦＩ１０２を含む画像形成システム１５０を示す。
【００１２】
図１（Ａ）の画像形成システム１００は、ＭＦＰ１０１、クライアントＰＣ１０３（第１の外部装置）、モバイル端末１０４（第２の外部装置）、及びサーバ１１１を備える。ＭＦＰ１０１、クライアントＰＣ１０３、及びサーバ１１１はＬＡＮ１０５を介して互いに有線ＬＡＮで接続されている。サーバ１１１は有線ＬＡＮ通信に使用するＩＰアドレスを発行し、ＭＦＰ１０１は当該ＩＰアドレスを使用して有線ＬＡＮ通信を実行する。また、ＭＦＰ１０１は、アクセスポイントとして動作する中継装置を介することなくモバイル端末１０４と、例えば、Wi-Fi DirectやBluetooth等によって無線ＬＡＮで接続されている。本実施の形態において、ＭＦＰ１０１はアクセスポイントとなり、モバイル端末１０４との無線ＬＡＮ通信に使用するＩＰアドレスを自動的に発行して無線ＬＡＮ通信を実行する。
【００１３】
図１（Ｂ）の画像形成システム１５０は、ＭＦＰ１０１、ＥＦＩ１０２（第３の外部装置）、クライアントＰＣ１０３、モバイル端末１０４、及びサーバ１１１を備える。ＥＦＩ１０２はＭＦＰ１０１及びクライアントＰＣ１０３の間に介在し、ＭＦＰ１０１は画像ビデオケーブル１０９及び制御ケーブル１１０を介してＥＦＩ１０２に接続されている。また、ＥＦＩ１０２、クライアントＰＣ１０３、及びサーバ１１１はＬＡＮ１０５を介して互いに有線ＬＡＮで接続されている。なお、ＭＦＰ１０１は、画像形成システム１００と同様にモバイル端末１０４と無線ＬＡＮで接続されている。
【００１４】
ＭＦＰ１０１はスキャナ１０６、操作表示部１０７、及び排紙部１０８を備える。スキャナ１０６は原稿を読み取って画像データを生成する。生成された画像データは、例えば、クライアントＰＣ１０３に送信される。操作表示部１０７はユーザからの指示を受け付けるとともに、ＭＦＰ１０１のステータス情報等を表示する。また、操作表示部１０７は後述のアクセスポイント設定画面９００及び警告表示９１０（要求手段）を表示する。排紙部１０８には画像データが印刷された記録紙が排紙される。ＥＦＩ１０２はＭＦＰ１０１と連携して画像データに各種画像処理を施す。クライアントＰＣ１０３は有線ＬＡＮ通信を実行して、例えば、ＭＦＰ１０１に印刷ジョブを送信する。モバイル端末１０４はＭＦＰ１０１と無線ＬＡＮ通信を実行して印刷ジョブをＭＦＰ１０１に送信する。サーバ１１１はＭＦＰ１０１、ＥＦＩ１０２、及びクライアントＰＣ１０３に有線ＬＡＮ通信に使用するＩＰアドレスを発行する。
【００１５】
なお、本実施の形態では、画像形成システム１５０において、ＭＦＰ１０１はＥＦＩ１０２にのみ接続されているが、ＥＦＩ１０２に加えてＬＡＮ１０５にも接続されてもよい。
【００１６】
図２は、図１の画像形成システム１００，１５０の一部の構成要素の内部構成を概略的に示すブロック図である。図２（Ａ）は図１（Ａ）の画像形成システム１００におけるＭＦＰ１０１の内部構成を概略的に示すブロック図であり、図２（Ｂ）は図１（Ｂ）の画像形成システム１５０におけるＭＦＰ１０１及びＥＦＩ１０２の内部構成を概略的に示すブロック図である。
【００１７】
図２（Ａ）及び図２（Ｂ）のＭＦＰ１０１は、スキャナ１０６、操作表示部１０７、コントローラ部２０１、ネットワーク部２０２、プリンタ２０３、及び無線通信部２０４を備える。
【００１８】
コントローラ部２０１は、ＣＰＵ２０５（判別手段、第１の変更手段、第２の変更手段、受信手段）、メモリ２０６、リーダＩ／Ｆ２０７、ビデオＩ／Ｆ２０８、ネットワークＩ／Ｆ２０９、及びプリンタＩ／Ｆ２１０を有する。また、コントローラ部２０１はＨＤＤ２１１、起動制御部２１２、及びネットワークＩ／Ｆ２１３を有する。コントローラ部２０１の各構成要素はシステムバス２２２を介して互いに接続されている。リーダＩ／Ｆ２０７にはスキャナ１０６及び操作表示部１０７が接続され、プリンタＩ／Ｆ２１０にはプリンタ２０３が接続され、ネットワークＩ／Ｆ２１３には無線通信部２０４が接続されている。
【００１９】
また、ＭＦＰ１０１にＥＦＩ１０２が接続されていないとき、ネットワークＩ／Ｆ２０９にはネットワーク部２０２が接続されるとともにＬＡＮ１０５を介してクライアントＰＣ１０３及びサーバ１１１が接続される。さらに、ＭＦＰ１０１にＥＦＩ１０２が接続されているとき、ビデオＩ／Ｆ２０８には画像ビデオケーブル１０９を介して後述のビデオＩ／Ｆ２１７が接続される。また、ＭＦＰ１０１にＥＦＩ１０２が接続されているとき、ネットワークＩ／Ｆ２０９にはネットワーク部２０２が接続されるとともに制御ケーブル１１０を介して後述のネットワークＩ／Ｆ２１８が接続される。
【００２０】
ネットワーク部２０２は、ＭＦＰ１０１にＥＦＩ１０２が接続されていない場合にＭＦＰ１０１及びクライアントＰＣ１０３の有線ＬＡＮ通信に使用されるＩＰアドレス（第１のアドレス）（以下、「ＭＦＰ／ＰＣ用ＩＰアドレス」という。）をサーバ１１１から取得してＭＦＰ１０１に設定する。また、ネットワーク部２０２は、ＭＦＰ１０１にＥＦＩ１０２が接続されている場合にＭＦＰ１０１及びＥＦＩ１０２の有線ＬＡＮ通信に使用されるＩＰアドレス（第３のアドレス）（以下、「ＭＦＰ／ＥＦＩ用ＩＰアドレス」という。）をサーバ１１１から取得してＭＦＰ１０１に設定する。
【００２１】
ところで、ＭＦＰ１０１及びＥＦＩ１０２の有線ＬＡＮ通信に使用されるＩＰアドレスとしてＭＦＰ／ＥＦＩ用ＩＰアドレスがＭＦＰ１０１に設定される。しかしながら、ＭＦＰ／ＥＦＩ用ＩＰアドレスのみではＭＦＰ１０１及びＥＦＩ１０２の有線ＬＡＮ通信は実行されない。すなわち、ＭＦＰ１０１及びＥＦＩ１０２の有線ＬＡＮ通信が実行されるには、ＭＦＰ／ＥＦＩ用ＩＰアドレスとは異なるＩＰアドレスであって、ＥＦＩ１０２に設定されるＩＰアドレス（以下、「ＥＦＩ／ＭＦＰ用ＩＰアドレス」という。）が必要である。ＭＦＰ／ＥＦＩ用ＩＰアドレス及びＥＦＩ／ＭＦＰ用ＩＰアドレスが対応するとき、ＭＦＰ１０１及びＥＦＩ１０２の有線ＬＡＮ通信は実行される。なお、ＥＦＩ／ＭＦＰ用ＩＰアドレスは後述のＥＦＩネットワーク部２２０によってＥＦＩ１０２に設定される。
【００２２】
ネットワーク部２０２は、さらに、ＭＦＰ／ＥＦＩ用ＩＰアドレスやＭＦＰ／ＰＣ用ＩＰアドレスが変更されるときにサーバ１１１から新たなＭＦＰ／ＥＦＩ用ＩＰアドレスやＭＦＰ／ＰＣ用ＩＰアドレスを取得してＭＦＰ１０１に設定する。
【００２３】
プリンタ２０３は、例えば、スキャナ１０６によって読み取られた原稿に対応する画像データやクライアントＰＣ１０３から受信したＰＤＬ（Page Description Language）データを記録紙に印刷する。無線通信部２０４はＭＦＰ１０１及びモバイル端末１０４の無線ＬＡＮ通信に使用されるＩＰアドレス（第２のアドレス）（以下、「モバイル端末側ＩＰアドレス」という。）を発行してＭＦＰ１０１に設定する。また、無線通信部２０４はモバイル端末側ＩＰアドレスが変更されるときに新たなモバイル端末側ＩＰアドレスを発行してＭＦＰ１０１に設定する。
【００２４】
ＣＰＵ２０５はメモリ２０６やＨＤＤ２１１に格納されたプログラムを実行してＭＦＰ１０１の各構成要素を制御する。メモリ２０６はＣＰＵ２０５のワークメモリである。ＨＤＤ２１１は大容量の記憶装置であり、例えば、スキャナ１０６によって読み取られた原稿に対応する画像データやクライアントＰＣ１０３から受信したＰＤＬデータを格納する。また、ＨＤＤ２１１はＭＦＰ１０１に設定されているＭＦＰ／ＥＦＩ用ＩＰアドレス、ＭＦＰ／ＰＣ用ＩＰアドレスやモバイル端末側ＩＰアドレスに関する情報を格納する。各ＩＰアドレスに関する情報としてＩＰアドレスを構成するネットワークアドレス及びホストアドレスを識別する数値であるサブネットマスクがある。さらにＨＤＤ２１１はＭＦＰ／ＥＦＩ用ＩＰアドレス、ＭＦＰ／ＰＣ用ＩＰアドレスやモバイル端末側ＩＰアドレスを変更するときに使用される変更用ＩＰアドレスを格納する。変更用ＩＰアドレスは、変更後のＭＦＰ／ＥＦＩ用ＩＰアドレス、ＭＦＰ／ＰＣ用ＩＰアドレスやモバイル端末側ＩＰアドレスを生成するために使用される。起動制御部２１２はＭＦＰ１０１の各構成要素に電力を供給し、ＭＦＰ１０１の起動を制御する。
【００２５】
図２（Ｂ）のＥＦＩ１０２は、ＣＰＵ２１４、メモリ２１５、ＨＤＤ２１６、ビデオＩ／Ｆ２１７、ネットワークＩ／Ｆ２１８，２１９、及びＥＦＩネットワーク部２２０を備え、これらの構成要素はシステムバス２２１を介して互いに接続されている。ネットワークＩ／Ｆ２１９にはＬＡＮ１０５を介してクライアントＰＣ１０３及びサーバ１１１が接続されている。
【００２６】
ＣＰＵ２１４はメモリ２１５やＨＤＤ２１６に格納されたプログラムを実行してＥＦＩ１０２の各構成要素を制御する。メモリ２１５はＣＰＵ２１４のワークメモリである。ＨＤＤ２１６は大容量の記憶装置であり、例えば、ＥＦＩ１０２において各種処理が施された画像データを格納する。また、ＨＤＤ２１６はＥＦＩ／ＭＦＰ用ＩＰアドレスやＥＦＩ１０２及びクライアントＰＣ１０３の有線ＬＡＮ通信に使用されるＩＰアドレス（第４のアドレス）（以下、「ＥＦＩ／ＰＣ用ＩＰアドレス」という。）に関する情報、例えば、サブネットマスクを格納する。さらにＨＤＤ２１６はＥＦＩ／ＭＦＰ用ＩＰアドレスやＥＦＩ／ＰＣ用ＩＰアドレスが変更されるときに、ＥＦＩ／ＭＦＰ用ＩＰアドレスやＥＦＩ／ＰＣ用ＩＰアドレスを生成するために使用される変更用ＩＰアドレスを格納する。
【００２７】
ＥＦＩネットワーク部２２０はＥＦＩ／ＭＦＰ用ＩＰアドレスやＥＦＩ／ＰＣ用ＩＰアドレスをサーバ１１１から取得してＥＦＩ１０２に設定する。また、ＥＦＩネットワーク部２２０は、ＭＦＰ１０１において設定されているＭＦＰ／ＥＦＩ用ＩＰアドレスが変更されると、新たなＥＦＩ／ＭＦＰ用ＩＰアドレスをサーバ１１１から取得してＥＦＩ１０２に設定する。これにより、ＭＦＰ１０１及びＥＦＩ１０２の有線ＬＡＮ通信が実行されなくなるのを回避することができる。
【００２８】
ＥＦＩ１０２は、ＥＦＩ／ＰＣ用ＩＰアドレスがＥＦＩ１０２に設定され、又はＥＦＩ１０２に設定されたＥＦＩ／ＰＣ用ＩＰアドレスが変更されたとき、その旨をクライアントＰＣ１０３に通知する。
【００２９】
図３は、図２におけるＭＦＰ１０１のＣＰＵ２０５によって実行される起動処理の手順を示すフローチャートである。図３の起動処理は、ＭＦＰ１０１にＭＦＰ／ＥＦＩ用ＩＰアドレス又はＭＦＰ／ＰＣ用ＩＰアドレスと、モバイル端末側ＩＰアドレスとが設定されていることを前提とする。
【００３０】
図３において、まず、ＭＦＰ１０１のスイッチがＯＮにされると（ステップＳ３０１）、ＣＰＵ２０５は、ＭＦＰ１０１に設定されているＭＦＰ／ＥＦＩ用ＩＰアドレス又はＭＦＰ／ＰＣ用ＩＰアドレスを取得する（ステップＳ３０２）。次いで、ＣＰＵ２０５は、ＭＦＰ１０１に設定されているモバイル端末側ＩＰアドレスを取得し（ステップＳ３０３）、ＭＦＰ１０１にＥＦＩ１０２が接続されているか否かを判別する（ステップＳ３０４）。
【００３１】
ステップＳ３０４の判別の結果、ＭＦＰ１０１にＥＦＩ１０２が接続されていないとき、ＭＦＰ／ＰＣ用ＩＰアドレスのネットワークアドレス及びモバイル端末側ＩＰアドレスのネットワークアドレスが競合するか否かを判別する（ステップＳ３０５）。上述の通り、ＩＰアドレスはネットワークアドレスとホストアドレスから構成されている。ネットワークアドレスによってＩＰアドレスが属しているネットワーク空間が識別され、ホストアドレスによってネットワークアドレス内の機器が識別される。また、ネットワークアドレスとホストアドレスは、サブネットマスクに基づいて識別される。ステップＳ３０５では、ＭＦＰ／ＰＣ用ＩＰアドレスのネットワークアドレス及びモバイル端末側ＩＰアドレスのネットワークアドレスが競合しているか否かを確認することにより、各ＩＰアドレスが属しているネットワーク空間の競合が判別される。ステップＳ３０５の判別の結果、ＭＦＰ／ＰＣ用ＩＰアドレスのネットワークアドレス及びモバイル端末側ＩＰアドレスのネットワークアドレスが競合しないとき、ＣＰＵ２０５はＭＦＰ１０１を正常起動し、本処理を終了する。一方、ＭＦＰ／ＰＣ用ＩＰアドレスのネットワークアドレス及びモバイル端末側ＩＰアドレスのネットワークアドレスが競合するとき、ＣＰＵ２０５は、ＭＦＰ／ＰＣ用ＩＰアドレスに優先してモバイル端末側ＩＰアドレスを変更する（ステップＳ３０６）。例えば、ＭＦＰ／ＰＣ用ＩＰアドレスが１９２．１６８．１．１００、且つモバイル端末側ＩＰアドレスが１９２．１６８．１．２００であるとする。ここで、モバイル端末側ＩＰアドレスのサブネットマスクが２５５．２５５．２５５．０の場合、モバイル端末側ＩＰアドレスのネットワークアドレスは１９２．１６８．１である。したがって、モバイル端末側ＩＰアドレスのネットワークアドレスはＭＦＰ／ＰＣ用ＩＰアドレスのネットワークアドレスと競合する。この競合を解消するため、ＣＰＵ２０５は、モバイル端末側ＩＰアドレスのネットワークアドレスの末尾に１を加え、１９２．１６８．２．とする。その結果、両者のネットワークアドレスの競合が解消される。その後、ＣＰＵ２０５はＭＦＰ１０１を正常起動し、本処理を終了する。
【００３２】
ところで、ＭＦＰ／ＰＣ用ＩＰアドレスが変更されるとき、サーバ１１１は新たなＭＦＰ／ＰＣ用ＩＰアドレスを発行し、当該新たなＭＦＰ／ＰＣ用ＩＰアドレスをＭＦＰ１０１に設定する。一方、モバイル端末側ＩＰアドレスが変更されるとき、ＭＦＰ１０１自身が新たなモバイル端末側ＩＰアドレスを発行し、当該新たなモバイル端末側ＩＰアドレスをＭＦＰ１０１に設定する。すなわち、ＭＦＰ／ＰＣ用ＩＰアドレスの変更はＭＦＰ１０１だけでは完結しない一方、モバイル端末側ＩＰアドレスの変更はＭＦＰ１０１だけで完結するため、モバイル端末側ＩＰアドレスの変更はＭＦＰ／ＰＣ用ＩＰアドレスの変更よりも簡単に実行される。これに対応して、本実施の形態では、上述したようにステップＳ３０６において、ＭＦＰ／ＰＣ用ＩＰアドレスに優先してモバイル端末側ＩＰアドレスを変更する。
【００３３】
変更後のモバイル端末側ＩＰアドレスは予めＨＤＤ２１１に格納されている変更用ＩＰアドレスをそのまま用いてもよく、ユーザによって入力されたＩＰアドレスでもよい。
【００３４】
ステップＳ３０４の判別の結果、ＭＦＰ１０１にＥＦＩ１０２が接続されているとき、ＥＦＩ１０２のＣＰＵ２１４は後述の通知処理（図４）を実行してＭＦＰ１０１にＥＦＩ／ＰＣ用ＩＰアドレスを通知する（ステップＳ３０７）。その後、ＣＰＵ２０５はＥＦＩ／ＰＣ用ＩＰアドレスを取得する（ステップＳ３０８）。ＭＦＰ／ＥＦＩ用ＩＰアドレスのネットワークアドレス、モバイル端末側ＩＰアドレスのネットワークアドレス、及びＥＦＩ／ＰＣ用ＩＰアドレスのネットワークアドレスのうち少なくとも２つのネットワークアドレスが競合するか否かを判別する（ステップＳ３０９）。
【００３５】
ステップＳ３０９の判別の結果、各ネットワークアドレスが互いに相違するとき、ＣＰＵ２０５はＭＦＰ１０１を正常起動し、本処理を終了する。一方、各ネットワークアドレスのうち少なくとも２つのネットワークアドレスが競合するとき、競合するネットワークアドレスに対応するＩＰアドレスのうち少なくとも１つのＩＰアドレスを変更する（ステップＳ３１０）。なお、各ＩＰアドレスは、上述したステップＳ３０６と同様にして変更される。
【００３６】
ところで、モバイル端末側ＩＰアドレスが変更されるとき、ＭＦＰ１０１自身が新たなモバイル端末側ＩＰアドレスを発行し、当該新たなモバイル端末側ＩＰアドレスをＭＦＰ１０１に設定する。一方、ＭＦＰ／ＥＦＩ用ＩＰアドレスが変更されるとき、サーバ１１１によって発行された新たなＭＦＰ／ＥＦＩ用ＩＰアドレスがＭＦＰ１０１に設定される。新たなＭＦＰ／ＥＦＩ用ＩＰアドレスがＭＦＰ１０１に設定されると、新たなＭＦＰ／ＥＦＩ用ＩＰアドレスに対応する新たなＥＦＩ／ＭＦＰ用ＩＰアドレスがサーバ１１１によって発行される。発行された新たなＥＦＩ／ＭＦＰ用ＩＰアドレスがＥＦＩ１０２に設定される。また、ＥＦＩ／ＰＣ用ＩＰアドレスはＭＦＰ／ＥＦＩ用ＩＰアドレスの変更と同様の方法によって変更されるが、この場合、ＥＦＩ１０２はクライアントＰＣ１０３にＥＦＩ／ＰＣ用ＩＰアドレスが変更されたことを認識させる必要がある。
【００３７】
すなわち、ＭＦＰ／ＥＦＩ用ＩＰアドレスやＥＦＩ／ＰＣ用ＩＰアドレスの変更はＭＦＰ１０１だけでは完結しない一方、モバイル端末側ＩＰアドレスの変更はＭＦＰ１０１だけで完結する。したがって、モバイル端末側ＩＰアドレスの変更はＭＦＰ／ＥＦＩ用ＩＰアドレスやＥＦＩ／ＰＣ用ＩＰアドレスの変更よりも簡単である。また、ＭＦＰ／ＥＦＩ用ＩＰアドレスの変更はサーバ１１１、ＭＦＰ１０１、及びＥＦＩ１０２だけで完結するが、ＥＦＩ／ＰＣ用ＩＰアドレスの変更はサーバ１１１、ＭＦＰ１０１、及びＥＦＩ１０２だけでなくクライアントＰＣ１０３も必要とする。したがって、ＭＦＰ／ＥＦＩ用ＩＰアドレスの変更はＥＦＩ／ＰＣ用ＩＰアドレスの変更よりも簡単である。これに対応して、本実施の形態では、ステップＳ３１０において、モバイル端末側ＩＰアドレスはＭＦＰ／ＥＦＩ用ＩＰアドレス及びＥＦＩ／ＰＣ用ＩＰアドレスに優先して変更される。また、ＭＦＰ／ＥＦＩ用ＩＰアドレスはＥＦＩ／ＰＣ用ＩＰアドレスに優先して変更される。
【００３８】
具体的に、ＭＦＰ／ＥＦＩ用ＩＰアドレスのネットワークアドレス及びモバイル端末側ＩＰアドレスのネットワークアドレスが競合する場合、ＭＦＰ／ＥＦＩ用ＩＰアドレスに優先してモバイル端末側ＩＰアドレスが変更される。ＥＦＩ／ＰＣ用ＩＰアドレスのネットワークアドレス及びモバイル端末側ＩＰアドレスのネットワークアドレスが競合する場合、ＥＦＩ／ＰＣ用ＩＰアドレスに優先してモバイル端末側ＩＰアドレスが変更される。ＥＦＩ／ＰＣ用ＩＰアドレスのネットワークアドレス及びＭＦＰ／ＥＦＩ用ＩＰアドレスのネットワークアドレスが競合する場合、ＥＦＩ／ＰＣ用ＩＰアドレスに優先してＭＦＰ／ＥＦＩ用ＩＰアドレスが変更される。また、ＭＦＰ／ＥＦＩ用ＩＰアドレスのネットワークアドレス、モバイル端末側ＩＰアドレスのネットワークアドレス、及びＥＦＩ／ＰＣ用ＩＰアドレスのネットワークアドレスが競合する場合、まず、モバイル端末側ＩＰアドレスが変更される。その後、ＭＦＰ／ＥＦＩ用ＩＰアドレスが変更される。
【００３９】
続くステップＳ３１１において、ＭＦＰ／ＥＦＩ用ＩＰアドレスのネットワークアドレス、モバイル端末側ＩＰアドレスのネットワークアドレス、及びＥＦＩ／ＰＣ用ＩＰアドスのネットワークアドレスのうち少なくとも２つが競合するか否かを再度判別する。ステップＳ３１１の判別の結果、各ネットワークアドレスのうち少なくとも２つのネットワークアドレスが依然として競合するとき、ＣＰＵ２０５は処理をステップＳ３１０に戻す。一方、各ネットワークアドレスが互いに相違するとき、ＣＰＵ２０５は本処理を終了する。
【００４０】
図４は、図３のステップＳ３０８で実行される通知処理の手順を示すフローチャートである。図４の処理は図２におけるＥＦＩ１０２のＣＰＵ２１４によって実行される。
【００４１】
図４において、まず、ＥＦＩ１０２のスイッチがＯＮにされると（ステップＳ４０１）、ＣＰＵ２１４は、ＥＦＩ／ＰＣ用ＩＰアドレスがＥＦＩ１０２に設定されているか否かを判別する（ステップＳ４０２）。ステップＳ４０２の判別の結果、ＥＦＩ／ＰＣ用ＩＰアドレスがＥＦＩ１０２に設定されていないとき、ＣＰＵ２１４は本処理を終了する。一方、ＥＦＩ／ＰＣ用ＩＰアドレスがＥＦＩ１０２に設定されているとき、ＣＰＵ２１４は、ＥＦＩ１０２がＭＦＰ１０１と通信可能であるか否かを判別する（ステップＳ４０３）。ステップＳ４０３の判別の結果、ＥＦＩ１０２がＭＦＰ１０１と通信可能でないとき、ＣＰＵ２１４は本処理を終了する。一方、ＥＦＩ１０２がＭＦＰ１０１と通信可能であるとき、ＣＰＵ２１４は、ＥＦＩ１０２に設定されているＥＦＩ／ＰＣ用ＩＰアドレスをＭＦＰ１０１に通知して（ステップＳ４０４）本処理を終了する。
【００４２】
図３の処理によれば、画像形成システム１００において（ステップＳ３０４でＮＯ）、ＭＦＰ／ＰＣ用ＩＰアドレスのネットワークアドレス及びモバイル端末側ＩＰアドレスのネットワークアドレスが競合する場合がある（ステップＳ３０５でＹＥＳ）。この場合、モバイル端末側ＩＰアドレスが変更される（ステップＳ３０６）。これにより、ＭＦＰ／ＰＣ用ＩＰアドレス及びモバイル端末側ＩＰアドレスのそれぞれのネットワークアドレスが競合するのを回避することができる。また、画像形成システム１５０において（ステップＳ３０４でＹＥＳ）、ＭＦＰ／ＥＦＩ用ＩＰアドレス、モバイル端末側ＩＰアドレス、及びＥＦＩ／ＰＣ用ＩＰアドレスのそれぞれのネットワークアドレスのうち少なくとも２つのネットワークアドレスが競合する（ステップＳ３０９でＹＥＳ）。このとき、競合するネットワークアドレスに対応するＩＰアドレスのうち少なくとも１つのＩＰアドレスが変更される（ステップＳ３１０）。これにより、ＭＦＰ／ＥＦＩ用ＩＰアドレス、モバイル端末側ＩＰアドレス、及びＥＦＩ／ＰＣ用ＩＰアドレスのそれぞれのネットワークアドレスを互いに相違させることができる。これにより、ＭＦＰ１０１及びクライアントＰＣ１０３の有線ＬＡＮ通信、並びに、ＭＦＰ１０１及びモバイル端末１０４の無線ＬＡＮ通信のいずれも実行可能となる場合が生じるのを避けることができる。また、ＭＦＰ１０１及びＥＦＩ１０２の有線ＬＡＮ通信、ＥＦＩ１０２及びクライアントＰＣ１０３の有線ＬＡＮ通信、並びに、ＭＦＰ１０１及びモバイル端末１０４の無線ＬＡＮ通信のいずれも実行可能となる場合が生じるのを避けることができる。その結果、ＭＦＰ１０１はＥＦＩ１０２、クライアントＰＣ１０３、及びモバイル端末１０４と適切な通信を実行することができる。
【００４３】
また、図３の処理によれば、ＭＦＰ／ＰＣ用ＩＰアドレスのネットワークアドレス及びモバイル端末側ＩＰアドレスのネットワークアドレスが競合する場合、ＭＦＰ／ＰＣ用ＩＰアドレスに優先してモバイル端末側ＩＰアドレスが変更される。上述したように、ＭＦＰ／ＰＣ用ＩＰアドレスの変更はＭＦＰ１０１だけでは完結しない。一方、モバイル端末側ＩＰアドレスの変更はＭＦＰ１０１だけで完結する。したがって、ＭＦＰ／ＰＣ用ＩＰアドレスに優先してモバイル端末側ＩＰアドレスを変更することにより、ＭＦＰ／ＰＣ用ＩＰアドレス及びモバイル端末側ＩＰアドレスを簡単に相違させることができる。
【００４４】
さらに、図３の処理によれば、モバイル端末側ＩＰアドレスはＭＦＰ／ＥＦＩ用ＩＰアドレス及びＥＦＩ／ＰＣ用ＩＰアドレスに優先して変更され、ＭＦＰ／ＥＦＩ用ＩＰアドレスはＥＦＩ／ＰＣ用ＩＰアドレスに優先して変更される。上述したように、ＭＦＰ／ＥＦＩ用ＩＰアドレスやＥＦＩ／ＰＣ用ＩＰアドレスの変更はＭＦＰ１０１だけでは完結しない。一方、モバイル端末側ＩＰアドレスの変更はＭＦＰ１０１だけで完結し、ＭＦＰ／ＥＦＩ用ＩＰアドレスの変更はサーバ１１１、ＭＦＰ１０１、及びＥＦＩ１０２だけで完結する。ＥＦＩ／ＰＣ用ＩＰアドレスの変更はサーバ１１１、ＭＦＰ１０１、及びＥＦＩ１０２だけでなくクライアントＰＣ１０３も必要とする。したがって、モバイル端末側ＩＰアドレスの変更はＭＦＰ／ＥＦＩ用ＩＰアドレスの変更よりも簡単であり、ＭＦＰ／ＥＦＩ用ＩＰアドレスの変更はＥＦＩ／ＰＣ用ＩＰアドレスの変更よりも簡単である。すなわち、図３の処理では、簡単に変更できるアドレスから優先的に変更されるので、モバイル端末側ＩＰアドレス、ＭＦＰ／ＥＦＩ用ＩＰアドレス、及びＥＦＩ／ＰＣ用ＩＰアドレスについて各アドレスを簡単に相違させることができる。
【００４５】
図５は、変更後アドレス通知処理の手順を示すフローチャートである、図５の処理では、図３の起動処理の終了後に画像形成システム１５０におけるＥＦＩ１０２に設定されるＥＦＩ／ＰＣ用ＩＰアドレスが変更され、変更後のＥＦＩ／ＰＣ用ＩＰアドレスをがＭＦＰ１０１に通知される。また、図５の処理はＥＦＩ１０２のＣＰＵ２１４によって実行される。
【００４６】
図５において、まず、ＣＰＵ２１４は、ＥＦＩ１０２に設定されるＥＦＩ／ＰＣ用ＩＰアドレスが変更されたことを検知し（ステップＳ５０１）、ＥＦＩ１０２がＭＦＰ１０１と通信可能であるか否かを判別する（ステップＳ５０２）。ステップＳ５０２の判別の結果、ＥＦＩ１０２がＭＦＰ１０１と通信可能でないとき、ＣＰＵ２１４は本処理を終了する。一方、ＥＦＩ１０２がＭＦＰ１０１と通信可能であるとき、ＣＰＵ２１４は、変更後のＥＦＩ／ＰＣ用ＩＰアドレスをＭＦＰ１０１のＣＰＵ２０５に通知して（ステップＳ５０３）、本処理を終了する。
【００４７】
図６は、図５のステップＳ５０３において通知された変更後のＥＦＩ／ＰＣ用ＩＰアドレスをＭＦＰ１０１が受信する受信処理の手順を示すフローチャートである。図６の処理はＭＦＰ１０１のＣＰＵ２０５によって実行される。
【００４８】
図６において、まず、ＣＰＵ２０５は、ＥＦＩ１０２から変更後のＥＦＩ／ＰＣ用ＩＰアドレスを受信する（ステップＳ６０１）。次いで、ＣＰＵ２０５は、ＭＦＰ１０１に設定されているＭＦＰ／ＥＦＩ用ＩＰアドレスを取得し（ステップＳ６０２）、ＭＦＰ１０１に設定されているモバイル端末側ＩＰアドレスを取得する（ステップＳ６０３）。その後、ＣＰＵ２０５は、変更後のＥＦＩ／ＰＣ用ＩＰアドレスのネットワークアドレスがＭＦＰ／ＥＦＩ用ＩＰアドレスのネットワークアドレス又はモバイル端末側ＩＰアドレスのネットワークアドレスに競合するか否かを判別する（ステップＳ６０４）。
【００４９】
ステップＳ６０４の判別の結果、変更後のＥＦＩ／ＰＣ用ＩＰアドレスのネットワークアドレスがＭＦＰ／ＥＦＩ用ＩＰアドレスのネットワークアドレス及びモバイル端末側ＩＰアドレスのネットワークアドレスのいずれにも競合しないとき、ＣＰＵ２０５は本処理を終了する。一方、変更後のＥＦＩ／ＰＣ用ＩＰアドレスのネットワークアドレスがＭＦＰ／ＥＦＩ用ＩＰアドレスのネットワークアドレス又はモバイル端末側ＩＰアドレスのネットワークアドレスに競合するとき、ＣＰＵ２０５は処理をステップＳ６０５に進める。ステップＳ６０５では、ＣＰＵ２０５は、予め設定画面７００（図７）（設定手段）を介してＭＦＰ１０１に設定されたタイミングでＭＦＰ／ＥＦＩ用ＩＰアドレス又はモバイル端末側ＩＰアドレスを変更後のＥＦＩ／ＰＣ用ＩＰアドレスに優先して変更する。その後、ＣＰＵ２０５は本処理を終了する。なお、各ＩＰアドレスは上述したステップＳ３１０と同様にして変更される。
【００５０】
設定画面７００は、即時変更ボタン７０１、再起動時変更ボタン７０２、及び非通信時変更ボタン７０３を備える。即時変更ボタン７０１が選択されると、所定の時点でＭＦＰ／ＥＦＩ用ＩＰアドレス又はモバイル端末側ＩＰアドレスは変更される。なお、所定の時点とは、例えば、変更後のＥＦＩ／ＰＣ用ＩＰアドレスのネットワークアドレスがＭＦＰ／ＥＦＩ用ＩＰアドレス及びモバイル端末側ＩＰアドレスのいずれかのネットワークアドレスに競合すると判別されるときである。再起動時変更ボタン７０２が選択されると、ＭＦＰ１０１が次に再起動され、上述の起動処理が実行されるときにＭＦＰ／ＥＦＩ用ＩＰアドレス又はモバイル端末側ＩＰアドレスは変更される。非通信時変更ボタン７０３が選択されると、ＭＦＰ１０１がＥＦＩ１０２及びモバイル端末１０４と通信していないときにＭＦＰ／ＥＦＩ用ＩＰアドレス又はモバイル端末側ＩＰアドレスは変更される。
【００５１】
図６の処理によれば、ＥＦＩ１０２から変更後のＥＦＩ／ＰＣ用ＩＰアドレスが受信される（ステップＳ６０１）。その後、変更後のＥＦＩ／ＰＣ用ＩＰアドレスのネットワークアドレスがＭＦＰ／ＥＦＩ用ＩＰアドレスのネットワークアドレス又はモバイル端末側ＩＰアドレスのネットワークアドレスに競合する場合がある。この場合、ＭＦＰ／ＥＦＩ用ＩＰアドレス又はモバイル端末側ＩＰアドレスが変更される（ステップＳ６０５）。ＥＦＩ／ＰＣ用ＩＰアドレスは、上述したようにＭＦＰ／ＥＦＩ用ＩＰアドレス又はモバイル端末側ＩＰアドレスよりも簡単に変更できない。したがって、ＥＦＩ／ＰＣ用ＩＰアドレスが変更された後はＭＦＰ／ＥＦＩ用ＩＰアドレス又はモバイル端末側ＩＰアドレスを変更することにより、変更するのに手間のかかるＥＦＩ／ＰＣ用ＩＰアドレスが２回変更されるのを回避することができる。
【００５２】
図８は、図３の起動処理が終了した後にモバイル端末側ＩＰアドレスが変更されるときに実行される通信確立処理の手順を示すフローチャートである。図８の処理はＭＦＰ１０１のＣＰＵ２０５によって実行される。
【００５３】
図８において、まず、ＣＰＵ２０５は、モバイル端末側ＩＰアドレスが変更されたことを検知する（ステップＳ８０１）。モバイル端末側ＩＰアドレスは、例えば、操作表示部１０７に表示されるアクセスポイント設定画面９００（図９（Ａ））を介して新たなＩＰアドレス等が入力される。入力された新たなＩＰアドレス等がモバイル端末側ＩＰアドレスとしてＭＦＰ１０１に設定されることによって変更される。アクセスポイント設定画面９００はＩＰアドレス入力欄９０１及びサブネットマスク入力欄９０２を備える。ＩＰアドレス入力欄９０１には新たなＩＰアドレスが入力される。サブネットマスク入力欄９０２には、サブネットマスクが入力される。
【００５４】
図８に戻り、ＣＰＵ２０５は、ＭＦＰ１０１に設定されているＭＦＰ／ＥＦＩ用ＩＰアドレス又はＭＦＰ／ＰＣ用ＩＰアドレスを取得し（ステップＳ８０２）、ＭＦＰ１０１にＥＦＩ１０２が接続されているか否かを判別する（ステップＳ８０３）。ステップＳ８０３の判別の結果、ＭＦＰ１０１にＥＦＩ１０２が接続されていないとき、ＣＰＵ２０５は、変更後のモバイル端末側ＩＰアドレスのネットワークアドレスとＭＦＰ／ＰＣ用ＩＰアドレスのネットワークアドレスが競合するか否かを判別する（ステップＳ８０４）。ステップＳ８０４の判別の結果、変更後のモバイル端末側ＩＰアドレスのネットワークアドレスとＭＦＰ／ＰＣ用ＩＰアドレスのネットワークアドレスが競合しないとき、ＣＰＵ２０５は本処理を終了する。一方、変更後のモバイル端末側ＩＰアドレスのネットワークアドレスとＭＦＰ／ＰＣ用ＩＰアドレスのネットワークアドレスが競合するとき、ＣＰＵ２０５は、警告表示９１０（図９（Ｂ））を操作表示部１０７に表示して（ステップＳ８０５）本処理を終了する。警告表示９１０は、再度、アクセスポイント設定画面９００において新たなＩＰアドレス等を入力するように要求する。
【００５５】
ステップＳ８０３の判別の結果、ＭＦＰ１０１にＥＦＩ１０２が接続されているとき、ＣＰＵ２０５は、ＥＦＩ／ＰＣ用ＩＰアドレスを取得する（ステップＳ８０６）。次いで、ＣＰＵ２０５は、変更後のモバイル端末側ＩＰアドレスのネットワークアドレスがＭＦＰ／ＥＦＩ用ＩＰアドレスのネットワークアドレス又はＥＦＩ／ＰＣ用ＩＰアドレスのネットワークアドレスに競合するか否かを判別する（ステップＳ８０７）。ステップＳ８０７の判別の結果、各ネットワークアドレスが互いに相違するとき、ＣＰＵ２０５は本処理を終了する。一方、変更後のモバイル端末側ＩＰアドレスのネットワークアドレスがＭＦＰ／ＥＦＩ用ＩＰアドレスのネットワークアドレス又はＥＦＩ／ＰＣ用ＩＰアドレスのネットワークアドレスに競合するとき、ＣＰＵ２０５は処理をステップＳ８０５に進める。
【００５６】
図８の処理によれば、画像形成システム１５０において（ステップＳ８０３でＹＥＳ）、変更後のモバイル端末側ＩＰアドレスのネットワークアドレスがＭＦＰ／ＥＦＩ用ＩＰアドレス及びＥＦＩ／ＰＣ用ＩＰアドレスのいずれかのネットワークアドレスに競合する。この場合（ステップＳ８０７でＹＥＳ）、警告表示９１０が操作表示部１０７に表示される（ステップＳ８０５）。これにより、ユーザはＭＦＰ１０１が画像形成システム１５０を構成するＥＦＩ１０２、クライアントＰＣ１０３、又はモバイル端末１０４と適切に通信できないことを認識することができる。
【００５７】
本発明は、上述の実施の形態の１以上の機能を実現するプログラムをネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５８】
１０１  ＭＦＰ
１０２  ＥＦＩ
１０３  クライアントＰＣ
１０４  モバイル端末
２０２  ネットワーク部
２０４  無線通信部
２０５，２１４  ＣＰＵ
２２０  ＥＦＩネットワーク部
【図１】
0006643140.tif 000002
【図２】
0006643140.tif 000003
【図３】
0006643140.tif 000004
【図４】
0006643140.tif 000005
【図５】
0006643140.tif 000006
【図６】
0006643140.tif 000007
【図７】
0006643140.tif 000008
【図８】
0006643140.tif 000009
【図９】
0006643140.tif 000010